【誤訳訂正書】
【提出日】平成18年12月28日(2006.12.28)
【誤訳訂正１】
【訂正対象書類名】特許請求の範囲
【訂正対象項目名】全文
【訂正方法】変更
【訂正の内容】
【特許請求の範囲】
【請求項１】
以下を含む、エレクトロクロミック窓アセンブリ：
第一透明基板であって、該第一透明基板は、その表面に第一導電性被覆を含む；
第二透明基板であって、該第二透明基板は、その表面に第二導電性被覆を含み、該第一透明基板および該第二透明基板は、互いに間隔を開けて配置されて、それらの間でチャンバを規定する；
エレクトロクロミック媒体であって、該エレクトロクロミック媒体は、該チャンバに含まれ、該エレクトロクロミック媒体は、該エレクトロクロミック媒体を通って電位を加えると変わる視感透過率を有する；
複数の第一間隔設備であって、該複数の第一間隔設備は、該第一導電性被覆と接触し、そして該第一導電性被覆に電流を送達できる；
複数の第二間隔設備であって、該複数の第二間隔設備は、該第二導電性被覆と接触し、そして該第二導電性被覆に電流を送達して、該エレクトロクロミック媒体を通る該電位を確立できる；
複数の第一接続部材であって、該複数の第一接続部材の各々は、該複数の第一間隔設備の対応する少なくとも１つに個別にかつ分かれて接続されて、該複数の第一間隔設備の対応する少なくとも１つに電流を送達する；および
複数の第二接続部材であって、該複数の第二接続部材の各々は、該複数の第二間隔設備の対応する少なくとも１つに個別にかつ分かれて接続されて、該複数の第二間隔設備の対応する少なくとも１つに電流を送達する、
窓アセンブリ。
【請求項２】
前記複数の第一間隔設備および前記複数の第二間隔設備が、バスバーである、請求項１に記載の窓アセンブリ。
【請求項３】
前記複数の第一間隔設備の少なくとも１個および前記複数の第二間隔設備の少なくとも１個が、前記窓アセンブリの周に位置付けられる、請求項１に記載の窓アセンブリ。
【請求項４】
前記複数の第一間隔設備および前記複数の第二間隔設備が、前記周に配列される、請求項３に記載の窓アセンブリ。
【請求項５】
前記複数の第一間隔設備が、前記周において、前記複数の第二間隔設備の間で配列されている、請求項４に記載の窓アセンブリ。
【請求項６】
前記第一透明基板および前記第二透明基板が、非対称形状を有する、請求項１に記載の窓アセンブリ。
【請求項７】
前記複数の第一間隔設備が、それらの対向末端で、前記第一導電性被覆と接触し、そして前記複数の第二間隔設備が、それらの対向末端で、前記第二導電性被覆と接触し、該第一導電性被覆の該対向末端および該第二導電性被覆の該対向末端が、互いから間隔を開けて配置されている、請求項１に記載の窓アセンブリ。
【請求項８】
前記第一導電性被覆の前記対向末端の少なくとも１つが、前記窓アセンブリの前記周に少なくとも近接している、請求項７に記載の窓アセンブリ。
【請求項９】
前記第一導電性被覆の前記対向末端および前記第二導電性被覆の前記対向末端が、前記窓アセンブリの前記周に少なくとも近接している、請求項８に記載の窓アセンブリ。
【請求項１０】
前記複数の第一間隔設備の各々が、同じ大きさであり、そして前記複数の第二間隔設備の各々が、同じ大きさである、請求項１に記載の窓アセンブリ。
【請求項１１】
前記複数の第一間隔設備の少なくとも１個が、前記複数の第一間隔設備の他のものとは異なる長さである、請求項１に記載の窓アセンブリ。
【請求項１２】
前記複数の第一間隔設備および前記複数の第二間隔設備の各々が、少なくとも１．２７ｃｍの長さである、請求項１に記載の窓アセンブリ。
【請求項１３】
前記複数の第一間隔設備が、少なくとも１．２７ｃｍの間隔を開けて配置され、そして前記複数の第二間隔設備が、少なくとも１．２７ｃｍの間隔を開けて配置されている、請求項１に記載の窓アセンブリ。
【請求項１４】
前記複数の第一間隔設備の各々が、前記周に、前記複数の第二間隔設備の各々から、少なくとも１．２７ｃｍの距離で間隔を開けて配置されている、請求項１１に記載の窓アセンブリ。
【請求項１５】
さらに、抵抗器を含み、該抵抗器が、前記複数の第一間隔設備の少なくとも１つに送達される前記電流を調節するように、位置付けられる、請求項１に記載の窓アセンブリ。
【請求項１６】
さらに、制御装置を含み、該制御装置が、前記複数の第一間隔設備の選択したものおよび前記複数の第二間隔設備の選択したものへの前記電流の送達を制御でき、前記エレクトロクロミック媒体の第一部分を通る前記視感透過率が該エレクトロクロミック媒体の前記第二部分を通る該視感透過率とは異なるようにされる、請求項１に記載の窓アセンブリ。
【請求項１７】
前記制御装置が、前記複数の第一間隔設備の他の選択したものおよび前記複数の第二間隔設備の他の選択したもので、前記電流を短絡できる、請求項１６に記載の窓アセンブリ。
【請求項１８】
前記エレクトロクロミック媒体が、少なくとも１種のアノード性エレクトロクロミック化合物および少なくとも１種のカソード性エレクトロクロミック化合物を含有し、ここで、該エレクトロクロミック媒体に電位を加えると、該アノード性エレクトロクロミック化合物の酸化と該カソード性エレクトロクロミック化合物の還元とが同時に起こり、それにより、該視感透過率を低下させる、請求項１に記載の窓アセンブリ。
【請求項１９】
前記エレクトロクロミック媒体が、自己消去性である、請求項１に記載の窓アセンブリ。
【請求項２０】
前記第一および第二透明基板が、ガラス、重合体材料およびそれらの組合せから選択される、請求項１に記載の窓アセンブリ。
【請求項２１】
前記エレクトロクロミック窓アセンブリが、自動車のフロントガラス、自動車の横窓、自動車のサンルーフ、建築用グレイジングおよび航空機窓から選択される、請求項１に記載の窓アセンブリ。
【請求項２２】
前記第一および前記第二導電性被覆が、１Ω／平方〜１０Ω／平方の範囲のシート抵抗を有する、請求項１に記載の窓アセンブリ。
【請求項２３】
前記第一および前記第二導電性被覆が、５，０００Å〜５０，０００Åの範囲の厚さを有する、請求項１に記載の窓アセンブリ。
【請求項２４】
前記電流が、０．５ボルト〜１．０ボルトの範囲で、前記第一および前記第二導電性被覆に流される、請求項１に記載の窓アセンブリ。
【請求項２５】
前記アセンブリの少なくとも一部の前記視感透過率が、１〜２０％の範囲の最小ＬＴＡから６０〜８０％の範囲の最大ＬＴＡまで変わる、請求項１に記載の窓アセンブリ。
【請求項２６】
エレクトロクロミック窓アセンブリの一部を優先的に着色する方法であって、該方法は、以下の工程：
エレクトロクロミック窓アセンブリを提供する工程であって、該エレクトロクロミック窓アセンブリは、第一および第二間隔透明基板を含み、該第一および第二間隔透明基板は、それらの間でチャンバを規定し、該第一透明基板は、第一導電性被覆を有し、そして該第二透明基板は、第二導電性被覆を有し、該チャンバは、そこに電位を加えると着色して視感透過率を低下させ得るエレクトロクロミック媒体を含有する；
該第一導電性被覆に該電位を与えるために、該第一導電性被覆に複数の第一間隔設備を電気接続する工程；
該第二導電性被覆に該電位を与えるために、該第二導電性被覆に複数の第二間隔設備を電気接続する工程；
該複数の第一間隔設備の選択したものおよび該複数の第二間隔設備の選択したものに電流を流して、該エレクトロクロミック媒体の選択部分を通って該電位を確立し、該選択部分が色を変えその視感透過率を低下させるようにする工程
を包含する、方法。
【請求項２７】
前記第一導電性被覆の対向末端を、前記アセンブリの周に少なくとも近接して配置する工程および前記第二導電性被覆の対向末端を、該アセンブリの該周に少なくとも近接して配置する工程、該第一導電性被覆の該対向末端に沿って前記複数の第一間隔設備を該第一導電性被覆に電気接続する工程、および該第二導電性被覆の該対向末端に沿って前記複数の第二間隔設備を該第二導電性被覆に電気接続する工程を包含する、請求項２６に記載の方法。
【請求項２８】
前記第一導電性被覆の前記対向末端を、前記アセンブリの前記周に沿って、前記第二導電性被覆の前記対向末端から間隔を開けて配置する工程を包含する、請求項２７に記載の方法。
【請求項２９】
さらに、前記複数の第一間隔設備の他の選択したものおよび前記複数の第二間隔設備の他の選択したもので、前記電流を短絡する工程を包含する、請求項２６に記載の方法。
【請求項３０】
さらに、前記複数の第一間隔設備の前記選択したものおよび前記複数の第二間隔設備の前記選択したものに流される前記電流を変えて、前記エレクトロクロミック媒体の前記選択部分に対する視感透過率の低下度を変える工程を包含する、請求項２６に記載の方法。
【請求項３１】
前記エレクトロクロミック窓アセンブリが、自動車のフロントガラスであり、そして前記エレクトロクロミック媒体の前記部分が、遮光バンドである、請求項３０に記載の方法。
【請求項３２】
前記第一導電性被覆を前記アセンブリの周に少なくとも近接して配置する工程および前記第二導電性被覆を該アセンブリの該周に少なくとも近接して配置する工程、該周全体の周りで前記複数の第一間隔設備を該第一導電性被覆に電気接続する工程、ならびに該周全体の周りで前記複数の第二間隔設備を該第二導電性被覆に電気接続する工程を包含する、請求項２６に記載の方法。
【請求項３３】
前記周に前記複数の第一間隔設備を少なくとも１．２７ｃｍの間隔を開けて配置する工程、該周に前記複数の第二間隔設備を少なくとも１．２７ｃｍの間隔を開けて配置する工程、および該周において該複数の第一間隔設備を該複数の第二間隔設備から少なくとも１．２７ｃｍの間隔を開けて配置する工程を包含する、請求項３２に記載の方法。
【誤訳訂正２】
【訂正対象書類名】明細書
【訂正対象項目名】全文
【訂正方法】変更
【訂正の内容】
【発明の詳細な説明】
【発明の名称】切替可能エレクトロクロミック装置
【技術分野】
【０００１】
本発明は、切替可能エレクトロクロミック装置に関し、これらは、その全構造全体にわたって均一に切り替えることができ、また、選択領域に対して優先的に切り替えることができる。さらに特定すると、本発明は、切替可能エレクトロクロミック装置（特に、大規模透明窓または不均一形状透明窓）に関し、これらは、起動状態から停止状態へと均一に切り替えることができ、また、起動領域および停止領域の両方を同時に含み得る。
【背景技術】
【０００２】
市販のエレクトロクロミック装置は、自動車のミラーとして使用することが当該技術分野で周知である。特許文献には、また、自動車の窓、航空機の窓アセンブリ、サンルーフ、天窓および建築用の窓に平坦型のエレクトロクロミック装置を使用することが論述されている。このようなエレクトロクロミック装置は、典型的には、密封チャンバを含み、これは、２枚のガラスにより規定され、これらのガラスは、エレクトロクロミック媒体を含む間隙または空間により、分離されている。このエレクトロクロミック媒体は、典型的には、溶液中にて、アノード性化合物およびカソード性化合物を共に含有する。それらのガラス基板は、典型的には、透明導電層を含み、これらは、そのガラスの対向面で被覆されており、このエレクトロクロミック媒体に接触している。両方のガラス基板上の導電層は、電気回路に接続される。これらの導電層が電気エネルギーを加えられるとき、加えた電位は、その装置のチャンバに導入され、これは、このエレクトロクロミック媒体に電気エネルギーを加えて、その媒体の色を変える。例えば、このエレクトロクロミック媒体は、エネルギーが加えられると、暗くなり得、光を吸収し始める。自動車用のエレクトロクロミックバックミラーアセンブリには、このミラーで反射された光の変化を検出するために、また、電位を起動してそのミラーを薄暗くするために、光電セルを組み込むことができる。
【０００３】
エレクトロクロミック装置の他の提案された用途では、そのエレクトロクロミック装置のサイズが大きくなるにつれて、種々の問題が一般的となっている。例えば、バックミラーアセンブリは、小型エレクトロクロミックアセンブリを含み、これは、典型的には、約２インチ×１０インチ（５．０８ｃｍ〜２５．４ｃｍ）の大きさである。このようなエレクトロクロミック装置では、アノード性バスバーは、典型的には、そのミラーアセンブリの上部にあり、また、カソード性バスバーは、典型的には、このミラーアセンブリの下部に配列される。
【０００４】
他方、自動車の窓、建築用の窓、および一部の航空機の窓は、規模がずっと大きい。結果として、エレクトロクロミックバックミラーアセンブリでの明るい状態と暗い状態との間の切替は、典型的には、迅速かつ一様であるのに対して、大規模エレクトロクロミック装置での明るい状態と暗い状態との間の切替は、遅くかつ不均一であり得る。徐々に起こる不均一な着色または切替は、大規模エレクトロクロミック窓アセンブリに付随した一般的な問題であり、これは、通例、「虹彩効果」と呼ばれている。この効果は、典型的には、これらの基板の表面に存在している透明導電性被覆の表面を横切る電位の低下が原因であり、その結果、加えた電位は、その表面被覆の縁部に沿って、このバスバーに隣接して、最も高くなり、また、その電流がエレクトロクロミック溶液を通るとき、そのセルの中心で、最も低くなる。従って、このエレクトロクロミック媒体は、典型的には、これらのバスバーが位置しているセルの周辺（すなわち、加えた電位がエレクトロクロミック媒体と接触する地点に最も近い地点）を最初に着色することにより、その後、このセルの中心に向かって着色することにより、不均一な着色を示す。伝統的には、シート抵抗が高い導電性フィルムが使用される。しかしながら、このような高いシート抵抗を切り替えるには、高い電圧および長時間を要する。さらに、通常のエレクトロクロミック装置では、その全アセンブリは、電位を加えると、陰になる。
【発明の開示】
【発明が解決しようとする課題】
【０００５】
この虹彩効果をなくすために、エレクトロクロミック装置にさらに均一な着色を与える種々の試みがなされている。例えば、種々のエレクトロクロミック化学溶液は、化学的に変質されて、均一な着色を高める。
【０００６】
さらに均一な切替および着色ができ容易に製造できかつ必要に応じて優先的な遮光領域を含むことができるエレクトロクロミック装置が、必要とされている。
【課題を解決するための手段】
【０００７】
本発明は、以下を含むエレクトロクロミック窓アセンブリを提供する：第一透明基板であって、該第一透明基板は、その表面に第一導電性被覆を含む；第二透明基板であって、該第二透明基板は、その表面に第二導電性被覆を含み、該第一透明基板および該第二透明基板は、互いに間隔を開けて配置されて、それらの間でチャンバを規定する；エレクトロクロミック媒体であって、該エレクトロクロミック媒体は、該チャンバに含まれ、該エレクトロクロミック媒体は、該エレクトロクロミック媒体を通って電位を加えると変わる視感透過率を有する；複数の第一間隔設備であって、該第一間隔設備は、該第一導電性被覆と接触し、そして該第一導電性被覆に電流を送達できる；および複数の第二間隔設備であって、該第二間隔設備は、該第二導電性被覆と接触し、そして該第二導電性被覆に電流を送達して、該エレクトロクロミック媒体を通る該電位を確立できる。本発明の非限定的な１実施形態では、前記複数の第一間隔設備および前記複数の第二間隔設備は、前記窓アセンブリの周辺に配列されたバスバーである。他の非限定的な実施形態では、前記窓アセンブリは、さらに、制御装置を含み、該制御装置は、前記複数の第一間隔設備の選択したものおよび前記複数の第二間隔設備の選択したものへの電流の送達を制御でき、前記エレクトロクロミック媒体の第一部分を通る前記視感透過率が該エレクトロクロミック媒体の前記第二部分を通る該視感透過率とは異なるようにされる。
【０００８】
本発明はまた、エレクトロクロミック窓アセンブリに均一な色を与える方法を提供し、該方法は、以下の工程を包含する：エレクトロクロミック窓アセンブリを提供する工程であって、該エレクトロクロミック窓アセンブリは、第一および第二間隔透明基板を含み、該第一および第二間隔透明基板は、それらの間でチャンバを規定し、該第一透明基板は、第一導電性被覆を有し、そして該第二透明基板は、第二導電性被覆を有し、該チャンバは、そこに電流を加えると着色して視感透過率を低下させるエレクトロクロミック媒体を含有する；および該第一導電性被覆の対向末端および該第二導電性被覆の対向末端に電流を流して、該エレクトロクロミック媒体を通る該電位を確立する工程であって、該第一導電性被覆および該第二導電性被覆の該対向末端は、互いから間隔を開けて配置され、ここで、該エレクトロクロミック媒体の該着色は、均一である。
【０００９】
本発明は、さらに、エレクトロクロミック窓アセンブリの一部を優先的に着色する方法を提供し、該方法は、以下の工程を包含する：エレクトロクロミック窓アセンブリを提供する工程であって、該エレクトロクロミック窓アセンブリは、第一および第二間隔透明基板を含み、該第一および第二間隔透明基板は、それらの間でチャンバを規定し、該第一透明基板は、第一導電性被覆を有し、そして該第二透明基板は、第二導電性被覆を有し、該チャンバは、そこに電流を加えると着色して視感透過率を低下させるエレクトロクロミック媒体を含有する；該第一導電性被覆に該電位を与えるために、該第一導電性被覆に複数の第一間隔設備を電気接続する工程；該第二導電性被覆に該電位を与えるために、該第二導電性被覆に複数の第一間隔設備を電気接続する工程；該複数の第一間隔設備の選択したものおよび該複数の第二間隔設備の選択したものに電流を流して、該エレクトロクロミック媒体の選択部分を通って電位を確立し、該選択部分が色を変えその視感透過率を低下させるようにする工程。
【００１０】
以下の要約は、本発明の実施形態の以下の詳細な説明と共に、添付の図面と共に読むと、よく理解できる。
【００１１】
本発明は、切替および着色が均一な単一コンパートメントエレクトロクロミック窓アセンブリに関し、これらは、段階的な遮光（すなわち、勾配遮光）または優先的着色領域にできる。本発明の非限定的な１実施形態では、このエレクトロクロミック窓アセンブリは、第一透明基板（これは、第一導電性被覆を備える）および第二透明基板（これは、第二導電性被覆を備える）を含む。第一および第二透明基板は、互いから間隔を開けて配置され、それらの間でチャンバを規定し、第一および第二導電性被覆は、互いに面している。エレクトロクロミック媒体は、その媒体を通って電位を加えると低い光透過率にできるが、このチャンバ内に含まれている。さらに、複数の第一間隔設備は、そこに電流を供給するために、第一導電性被覆と接触して（例えば、第一基板の対向末端に沿って）設けられ、また、複数の第二間隔設備は、そこに電流を供給するために、第二導電性被覆と接触して（例えば、第二基板の対向末端に沿って）設けられている。ＤＣ電源からの電流が第一および第二の複数の設備に流されるとき、これらの設備の配列のために、そのエレクトロクロミック媒体が急速かつ均一に所望の色に着色するように、そのエレクトロクロミック媒体を通って、これらの被覆間で印加される。さらに、この電流は、これらの第一および第二の複数の設備の選択したものに流され、そして第一および第二の複数の設備の他の選択したものに短絡されて、そのアセンブリの選択部分で、遮光領域を含む窓アセンブリを生じる。
【００１２】
本明細書の目的のために、特に明記しない限り、本明細書および請求の範囲で使用する量（例えば、寸法、電圧、視感透過率、性能測定値など）を表わす全ての数値は、いずれの場合でも、「約」との用語により修飾されることが理解できるはずである。従って、特に明記しない限り、以下の明細書および手イプの請求の範囲で述べた数値パラメータは、概算値であり、これは、本発明により得られる所望の数値に依存して、変えることができる。最低に見積もっても、請求の範囲に対しての均等論の適用を制限しようとしない限り、各数値パラメータは、少なくとも、報告された有効数字の数に照らして、通常の四捨五入技術を適用することにより、解釈されるべきである。
【００１３】
本発明の広範な範囲を示す数値範囲およびパラメータは、概算値であるにもかかわらず、特定の実施例で示した数値は、できるだけ正確に報告される。しかしながら、全ての数値は、本質的に、それらの各試験測定値で見られる標準偏差から必然的に生じる一定の誤差を含む。
【００１４】
以下の説明では、同じ要素には、同じ参照番号を付ける。図１〜３を参照して、エレクトロクロミック窓アセンブリ１０が描写されている。必要ではないものの、本発明の非限定的な１実施形態では、ほぼ対称の形状を有する。例えば、エレクトロクロミック窓アセンブリ１０は、正方形または長方形の窓アセンブリであり得る。このような対称形の窓アセンブリは、建築用のグレイジング（例えば、ビル用の窓）として、特に有用である。エレクトロクロミック窓アセンブリ１０の大きさおよび形状は、そのアセンブリの特定の所望用途に従って、選択できる。
【００１５】
エレクトロクロミック窓アセンブリ１０は、第一透明基板２０および第二透明基板３０を含む。このような基板は、エレクトロクロミック装置で使用する当該技術分野で公知の任意の材料（例えば、重合体材料、ガラス、金属など、およびこのような材料の組合せがあるが、これらに限定されない）から作製できる。本発明の非限定的な１実施形態では、基板２０および３０の一方または両方は、ガラス（例えば、フロートガラス）から作製される。さらに、第一基板２０および第二基板３０は、両方とも透明である。さらに、必要ではないものの、基板２０および３０の一方または両方が、着色または濃淡付けされる。本発明の非限定的な１実施形態では、航空機窓アセンブリ１０に組み込んだ透明基板および被覆の各々は、少なくとも７０％の視感透過率を有する。本明細書中で使用する「光透過率」および「視感透過率」との用語は、透過する可視光の全量の尺度を意味する。本明細書で提供される視感透過率データは、ＣＩＥ標準発光体Ａについて測定され、ＬＴＡとして示される。
【００１６】
第一基板２０および第二基板３０は、互いに関して実質的に平行に面した関係で、間隔を開けて配置され、それらの間でチャンバ４１を規定する。このような関係は、間隔要素４５により、達成できる。間隔要素４５は、第一基板２０と第二基板３０との間で所望の間隔を維持できる任意の様式で、位置付けることができる。本発明の非限定的な１実施形態では、間隔要素４５は、当該技術分野で公知のように、密封様式で、第一基板２０および第二基板３０の外縁に隣接したエレクトロクロミック窓アセンブリ１０の周辺に伸長している。必要ではないものの、間隔要素４５は、第一基板２０および第二基板３０の外縁から僅かに内向きに、位置付けることができる。このような位置付けは、第一および第二基板の僅かに突き出しを与え、これは、電気的接触を改良するために、下記のように、第一および第二基板２９および３９の一部を露出できる。間隔要素４５は、任意の導電性材料から作成できる。本発明の非限定的な１実施形態では、要素４５は、重合体材料（例えば、硬化可能有機重合体材料）であり、これらは、熱可塑性材料、熱硬化性材料、ＵＶ硬化樹脂材料、およびそれらの組合せであるが、それらに限定されない。エポキシ系有機密封材料は、密封要素４５として、有用である。
【００１７】
第一基板２０の周辺は、対向末端２０ａおよび２０ｃ（これらは、互いに対向している）ならびに、対向末端２０ｂおよび２０ｄ（これらは、互いに対向している）を規定する。同様に、第二基板３０は、対向末端３０ａおよび３０ｃならびに、対向末端３０ｂおよび３０ｄを含む。
【００１８】
第一基板２０および第二基板３０は、それぞれ、これらの基板の向かい合った主要面２１および３１で、それぞれ、第一導電性被覆２９および第二導電性被覆３９の形状で、透明導電性材料の層を備え付けている。第一および第二導電性被覆２９および３９は、可視光に対して実質的に透明な任意の材料であり得、これらの基板の表面によく結合し、このエレクトロクロミック装置および大気中にて、任意の材料による腐食に耐性であり、また、良好な導電性を有する。必要ではないものの、被覆２９および３９は、典型的には、１個またはそれ以上の金属または金属酸化物被覆を含み、これには、例えば、銀、金、酸化スズ、酸化インジウムスズ（ＩＴＯ）、フッ素ドープ酸化スズ（ＦＴＯ）、アンチモンドープ酸化スズ、ＩＴＯ／金属／ＩＴＯ（ＩＭＩ）、およびそれらの組合せならびに、当該技術分野で公知の任意の他の材料があるが、これらに限定されない。導電性被覆５３は、いくつかの周知の方法（熱分解、化学蒸着およびマグネトロンスパッタリングを含めて）のいずれかにより、塗布できる。第一および第二導電性被覆２９および３９は、同一または異なる材料から作成できる。本発明を限定せずに、本発明で有用な被覆には、導電性フッ素ドープ酸化スズ被覆ガラス（これは、「ＮＥＳＡ（登録商標）の商標でＰｉｔｔｓｂｕｒｇｈ，ＰｅｎｎｓｙｌｖａｎｉａのＰＰＧ  Ｉｎｄｕｓｔｒｉｅｓ，Ｉｎｃ．から入手できる）および導電性酸化インジウムスズ被覆ガラス（これは、「ＮＥＳＡＴＲＯＮ（登録商標）の商標でＰｉｔｔｓｂｕｒｇｈ，ＰｅｎｎｓｙｌｖａｎｉａのＰＰＧ  Ｉｎｄｕｓｔｒｉｅｓ，Ｉｎｃ．から入手できる）が挙げられる。
【００１９】
本発明の非限定的な１実施形態では、第一および第二導電性被覆２９および３９は、１〜１０Ω／平方の範囲、例えば、２〜５Ω／平方の範囲のシート抵抗を有する。さらに、第一および第二導電性被覆２９および３９の厚さは、互いに対して同一または異なり得、その被覆厚さは、均一であり得る（すなわち、全体にわたって、ほぼ同じ厚さ）か、不均一であり得る（すなわち、この被覆厚さは、変動する）。本発明の非限定的な１実施形態では、これらの被覆は、同じほぼ均一な厚さを有し、これは、５，０００Å〜５０，０００Å、例えば、１３，０００Å〜２６，０００Åの範囲である。
【００２０】
エレクトロクロミック媒体４０は、第一基板２０と第二基板３０との間で形成されたチャンバ４１内に含まれる。エレクトロクロミック媒体４０は、当該技術分野で公知の任意の種類の材料であり得、任意の公知形状であり得る（例えば、エレクトロクロミック液体、溶液、ゲル、半固形材料、重合体材料などであるが、これらに限定されない）。エレクトロクロミック媒体４０は、色を規定する少なくとも１種のエレクトロクロミック化合物または染料を含有する。このような材料は、大きい電位を加えるにつれて、着色し、引き続いて、さらに暗い色になるか遮光することが、当該技術分野で周知である。その電位が遮断されるか逆にされるとき、その着色は、除去または漂白され、エレクトロクロミック媒体４０を通って光が完全に透過できるようになる。
【００２１】
本発明の非限定的な１実施形態では、エレクトロクロミック媒体４０は、液相型エレクトロクロミック媒体であり、ここで、イオン導電性電解質の溶液中に含有された物質は、電気化学的に還元または酸化したとき、その電解質中に残る（ゲルを含めて）。他の非限定的な実施形態では、エレクトロクロミック媒体４０は、表面限局エレクトロクロミック媒体であり、ここで、導電性の電極に直接結合した物質またはその近傍に限局された物質は、電気化学的に還元または酸化したとき、結合または閉じ込められたままである。さらに他の非限定的な実施形態では、エレクトロクロミック媒体４０は、電着型エレクトロクロミック媒体であり、ここで、イオン導電性電解質の溶液中に含有された物質は、電気化学的に還元または酸化したとき、導電性の電極上で、層を形成する。
【００２２】
必要ではないものの、１実施形態では、エレクトロクロミック媒体４０は、少なくとも１種のアノード性エレクトロクロミック化合物および少なくとも１種のカソード性エレクトロクロミック化合物を含有し、このアノード性化合物は、酸化可能物質に相当し、また、このカソード性化合物は、還元可能物質に相当する。このエレクトロクロミック媒体に電位を加えると、このアノード性エレクトロクロミック化合物は、酸化し、そしてカソード性エレクトロクロミック化合物は、同時に、還元する。このような同時の酸化および還元の結果、可視スペクトルにおいて、少なくとも１波長、吸収率が変わる。エレクトロクロミック媒体４０中でのこのようなアノード性およびカソード性エレクトロクロミック化合物の組合せは、電位を加えると、それに関連した色を規定する。このようなカソード性エレクトロクロミック化合物は、一般的に、ビオロゲン染料と呼ばれ、また、このようなカソード性エレクトロクロミック化合物は、一般的に、フェナジン染料と呼ばれる。
【００２３】
エレクトロクロミック媒体４０はまた、他の物質を含有し、これらには、例えば、溶媒、光吸収剤、光安定化剤、熱安定化剤、酸化防止剤、増粘剤、粘度調節剤および類似の物質が挙げられるが、これらに限定されない。
【００２４】
必要ではないものの、本発明の非限定的な１実施形態では、被覆２９および／または３９の少なくとも１縁部は、それぞれ、基板２０および／または３０の縁部に少なくとも近接して、すなわち、アセンブリ１０の周縁部１１に（例えば、周縁部１１の２インチまたは１インチまたは０．５インチ（５．０８ｃｍ、または２．５４ｃｍまたは１．２７ｃｍ））以内で、伸長している。図１〜３で示した本発明の特定の非限定的な１実施形態では、被覆２９および３９の全ての縁部は、アセンブリ２０の周縁部１１に少なくとも近接しており、非限定的な１実施形態では、被覆２９および３９の全ての縁部は、それらの対応する基板の縁部に伸長しており、それゆえ、アセンブリ１０の周縁部１１に伸長している。複数の第一間隔設備は、第一導電性被覆２９と接触し、また、複数の第二間隔設備は、第二導電性被覆３９と接触する。本発明の非限定的な１実施形態では、複数の第一間隔設備は、複数のバスバー６０を含み、また、複数の第二間隔設備は、複数のバスバー８０を含む。本発明を限定することなく、特定の１実施形態では、バスバー６０は、アノード性バスバーであるのに対して、バスバー８０は、カソード性バスバーである。このようなバスバー６０および８０は、ＤＣ電源（図１〜３では図示せず）と、それぞれ、第一および第二導電性被覆２９および３９との間で、電気接続を与える。このような電気接続は、任意の公知の様式で、確立できる。例えば、図３で示すように、アノード性バスバー６０の各々は、ハンダ接合部６４により、アノード性導電性ワイヤ６５に接続できるのに対して、カソード性バスバー８０の各々は、ハンダ接合部８４により、カソード性導電性ワイヤ８５に接続できる。このようにして、アノード性バスバー６０には、正電流が流され、また、カソード性バスバー８０には、負電流が流され、このエレクトロクロミックセル内にて、それらの間で電位が生じる。さらに、間隔アセンブリ４５、ワイヤ６５および８５および／または接合部６４および８４を保護するために、エレクトロクロミック窓アセンブリ１０の周縁部１１には、外部カバーまたは断熱材（図示せず）を設けることができる。
【００２５】
図１〜３で示した本発明の特定の実施形態では、被覆２９の縁部は、アセンブリ１０の周縁部１１に伸長し、そしてアノード性バスバー６０（これらは、第一導電性被覆２９と接触している）は、第一基板２０の対向末端２０ａおよび２０ｃに沿って、設けられる。このようにして、電源からの電流は、第一基板２０の対向末端２０ａおよび２０ｃに沿って、第一導電性被覆２９の対向縁部に供給される。同様に、被覆３９の縁部は、アセンブリ１０の周縁部１１に伸長し、そしてカソード性バスバー８０（これらは、第二導電性被覆３９と接触している）は、第二基板３０の対向末端３０ｂおよび３０ｄに沿って、設けられる。このようにして、電源からの電流は、第二基板３０の対向末端３０ｂおよび３０ｄに沿って、第二導電性被覆３９の対向縁部に供給される。さらに、この電流が流される第一および第二被覆２９および３９の対向末端は、互いから間隔を開けて配置されている。何らかの特定の理論で束縛するともりはないが、これらの被覆の対向末端に電流を流すことにより、そして第一被覆の末端（これらは、正電流でエネルギーが加えられている）を第二被覆の末端（これらは、負電流でエネルギーが加えられている）から間隔を開けて配置することにより、そのエレクトロクロミックセルの全体にわたる電位の均一な適用が得られ、その結果、そのエレクトロクロミック媒体の均一な着色が生じ、虹彩効果が少なくなると考えられている。本明細書中で使用する「均一な着色」との用語は、電位を加えることで色が変わるエレクトロクロミック媒体の部分が、全て、ほぼ同じ様式で（例えば、ほぼ同時におよび／またはほぼ同じ速度で）変わることを意味する。
【００２６】
本発明の他の非限定的な実施形態では、バスバー６０は、対向縁部２０ａおよび２０ｃに沿って配列されているならびに、対向縁部２０ｂおよび２０ｄに沿っても配列されており、また、バスバー８０は、対向縁部３０ｂおよび３０ｄに沿って配列されているだけでなく、対向縁部３０ａおよび３０ｃに沿っても配列されている。このようにして、アノード性バスバー６０は、第一基板２０全体の周辺で設けられ、また、カソード性バスバー８０は、第二基板３０全体の周辺で設けられ、すなわち、バスバー６０および８０は、アセンブリ１０の全周縁部１１に位置付けられる。図１〜３で示した特定の非限定的な１実施形態では、バスバー６０およびバスバー８０は、交互様式で配列され、すなわち、各バスバー６０は、窓アセンブリ１０の周縁部１１で、各バスバー８０間に配列される。このような配列により、電位は、エレクトロクロミック窓アセンブリ１０全体にわたって、均一に適用される。必要ではないものの、本発明の非限定的な１実施形態では、各アノード性バスバー６０は、少なくとも０．５インチ（１．２７ｃｍ）の距離で、窓アセンブリ１０の周縁部１１に沿って、カソード性バスバー８０から間隔を開けて配置されている。このような間隔を開けることにより、これらのバスバー間の電流は、短絡せず、そのエレクトロクロミック装置全体にわたって、均一な電位が得られる。それに加えて、このバスバーの構成により、電位を長期にわたって加えても、染料の分離が最小になる。染料の分離とは、典型的には、これらのバスバーに沿って、そのアセンブリのうち電力が最も高い部分に向かって移動して濃縮する染料の傾向である。
【００２７】
バスバー６０および８０は、バスバーに典型的に使用される当該技術分野で周知の任意の非常に導電性の材料から作製できる。典型的なバスバー材料の非限定的な例には、金属箔（例えば、銅箔）、金属被覆（例えば、金被覆）および導電性金属含有セラミック顔料（例えば、銀セラミック顔料）が挙げられる。
【００２８】
バスバー６０および８０の大きさおよび形状は、このエレクトロクロミック窓アセンブリの特定の外形に仕立てることができる。本発明の非限定的な１実施態様では、バスバー６０および８０の各々は、少なくとも０．５インチ（１．２７ｃｍ）の長さである。
【００２９】
指摘したように、エレクトロクロミック媒体４０は、その媒体に電位を加えたとき、その色を変えることができ、それゆえ、その光透過率を変えることができる。この電位の適用は、選択的であり得、すなわち、このエレクトロクロミック窓アセンブリは、電位を加えないときの１透過率レベルと、電位を加えて染料の色を変えエレクトロクロミック媒体４０の視感透過率を低くしたときの第二透過率レベルとの間で、切替可能である。この特徴は、この窓アセンブリに電流を選択的に流すスイッチを設けることにより、最も簡単に達成される。
【００３０】
本発明の非限定的な１実施態様では、電気エネルギーを加えた状態と電気エネルギーを加えていない状態との間のエレクトロクロミック媒体の着色は、自己消去性であり、すなわち、電位を加えて電気化学的に起動した状態のときのエレクトロクロミック媒体の着色は、その電位を取り除くと、その初期状態（例えば、無色状態）に自動的に戻るか消去される。この初期状態は、無色状態であり得るか色または色合いを有し得ることが理解できるはずである。
【００３１】
さらに他の非限定的な実施態様では、このエレクトロクロミック窓アセンブリは、切替可能で非自己消去性であり、すなわち、電位を加えると、そのエレクトロクロミック媒体は、着色し、その電位を逆にするか短絡するまで、この着色状態のままとどまる。
【００３２】
さらに、この染料の色は、電位を加えると、一定の暗さまたは陰影であり得るか、またはそのエレクトロクロミック媒体を通って確立された電位の規模に依存して、暗さまたは陰影の程度が変わり得る。例えば、本発明を限定することなく、特定の着色またはその着色の陰影は、一定の電圧または出力密度にわたって、変わり得る。このエレクトロクロミック媒体に低い出力密度を加えると、その染料は、着色し始め得る。その電圧を高めると、この染料の色は、さらに濃い陰影または強度まで暗くなり得る。このようにして、この窓アセンブリは、その電位を変えると、光透過率の程度を変えることを含み得る。この窓アセンブリは、従って、そこに加える電位の量に基づいて、所望レベルの暗さまたは陰影に調節できる。これは、例えば、後にさらに詳細に述べるように、電源と窓アセンブリとの間で、スイッチまたはある種の他の制御を組み込むことにより、簡単に達成できる。必要ではないものの、本発明の非限定的な１実施態様では、このエレクトロクロミック窓アセンブリは、１〜２０％の範囲の最小ＬＴＡと６０〜８０％の範囲の最大ＬＴＡとの間で切替可能である。そういうものとして、このエレクトロクロミック窓アセンブリは、望ましいとき、窓用の不透明遮光部として、効果的に機能できる。
【００３３】
図４および５では、非限定的な代替実施態様が示されている。この特定の実施態様では、エレクトロクロミック窓アセンブリ１１０は、略卵形窓の形状であり、これは、例えば、航空機の客室窓として、使用できる。必要ではないものの、本発明のこの特定の実施態様では、上記実施態様と同様に、この卵形窓は、対称形状を有する。類似の様式にて、エレクトロクロミック窓アセンブリ１１０は、間隔を開けて配置した第一基板１２０および第二基板１３０だけでなく、第一導電性被覆１２９、第二導電性被覆１３９およびそれらの間のエレクトロクロミック媒体１４０を含む。被覆１２９および１３９は、それぞれ、基板１２０および１３０の対向面に塗布され、そしてエレクトロクロミック媒体１４０は、これらの被覆の間に位置付けられる。基板１２０および１３０は、スペーサ１４５により分離される。
【００３４】
バスバー１６０ａは、第一基板１２０の第一末端１２０ａに沿って、第一導電性被覆１２９の縁部に接続され、また、バスバー１６０ｃは、第一基板１２０の対向第二末端１２０ｃに沿って、第一導電性被覆１２９の対向縁部に接続される。さらに、バスバー１８０ｂは、第二基板１３０の第一末端１３０ｂに沿って、第二導電性被覆１３９の縁部に接続され、そして、バスバー１８０ｄは、第二基板１３０の対向第二末端１３０ｄに沿って、第二導電性被覆１３９の対向縁部に接続されている。必要ではないものの、本発明の非限定的な１実施態様では、バスバー１６０ａおよび１６０ｃは、アノードバスバーであるのに対して、バスバー１８０ｂおよび１８０ｄは、カソードバスバーである。バスバー１６０ａおよび１６０ｃを通って被覆１２９の対向末端に電流を流し、そして、バスバー１８０ｂおよび１８０ｄを通って被覆１３９の対向末端に電流を流し、そして被覆１３９のエネルギーを加えた対向末端から間隔を開けて被覆１２９のエネルギーを加えた対向末端を配置すると、被覆１３９は、エレクトロクロミック媒体１４０を通る電位を発生し、均一な様式で、エレクトロクロミック媒体１４０の色を変える。
【００３５】
図４および５で描写した実施態様では、バスバー１６０および１８０の大きさおよび形状は、図１のバス配列と比べて、長さが長い。必要ではないものの、本発明の非限定的な１実施態様では、バスバー１６０および１８０の各々は、長さが等しく、また、バスバー１６０および１８０は、アセンブリ１１０の周縁部で、少なくとも０．５インチ（１．２７ｃｍ）の間隔を開けて配置されている。
【００３６】
図６および７は、略対称長方形の非限定的なエレクトロクロミック窓アセンブリ２１０を示す。このようなアセンブリは、例えば、自動車のフロントガラス、後部窓またはサンルーフ、または建築用のグレイジングとして、有用であり得る。先の実施態様と類似の様式にて、エレクトロクロミック窓アセンブリ２１０は、間隔を開けて配置した第一基板２２０および第二基板２３０だけでなく、第一導電性被覆２２９、第二導電性被覆２３９およびエレクトロクロミック媒体２４０を含む。基板２２０および２３０の対向面には、それぞれ、被覆２２９および２３９が塗布され、これらの被覆の間には、エレクトロクロミック媒体２４０が位置付けられる。基板２２０および２３０は、スペーサ２４５により分離される。
【００３７】
アセンブリ２１０は、さらに、バスバー２６０および２８０を含む。必要ではないものの、本発明のこの特定の実施態様では、バスバー２６０は、アノードバスバーであり、そしてバスバー２８０は、カソードバスバーである。アノードバスバー２６０ａおよび２６０ｂは、第一基板２２０の第一末端２２０ａに沿って、第一導電性被覆２２９の第一縁部に接続され、そして、バスバー２６０ｃおよび２６０ｄは、第二基板２２０の対向第二末端２２０ｃに沿って、第一導電性被覆２２９の対向末端に接続される。さらに、カソードバスバー２８０ａは、アノードバスバー２６０ａおよび２６０ｂ間で間隔を開けた位置で、第二基板２３０の第一末端２３０ａに沿って、第二導電性被覆２３９の第一縁部に接続され、そして、カソードバスバー２８０ｂは、アノードバスバー２６０ｃおよび２６０ｄ間で間隔を開けた位置で、第二基板２３０の対向第二末端２３０ｃに沿って、第二導電性被覆２３９の第二対向末端に接続される。さらに、バスバー２８０ｃおよび２８０ｄは、第二基板２３０の第三末端２３０ｂで、第二導電性被覆２３９の第三縁部に接続され、そして、バスバー２８０ｅおよび２８０ｆは、第二基板２３０の対向第四末端２３０ｄで、第二導電性被覆２３９の対向第四縁部に接続される。バスバー２６０ａ、２６０ｂ、２６０ｃおよび２６０ｄを通って被覆２２９の対向末端に電流を流すと、バスバー２８０ａ、２８０ｂ、２８０ｃ、２８０ｄ、２８０ｅおよび２８０ｆを通って、被覆２３９の周辺で、エレクトロクロミック媒体２４０を通る電位が発生し、均一な様式で、エレクトロクロミック媒体２４０の色を変える。
【００３８】
必要ではないものの、図６および７で示した本発明の特定の非限定的な実施態様では、バスバー２６０および２８０は、長さが等しく、また、バスバー２６０および２８０は、少なくとも０．５インチ（１．２７ｃｍ）離れて、アセンブリ２１０の周縁部で、間隔を開けて配置されている。
【００３９】
本発明のさらに別の非限定的な実施態様は、図８および９に示され、ここで、エレクトロクロミック窓アセンブリ３１０は、非対称形状を含む。このような非対称なエレクトロクロミック窓アセンブリは、任意の用途に提供できるのに対して、図示した特定の非限定的な実施態様は、自動車の横窓（これは、通例、サイドライトと呼ばれている）の形状である。エレクトロクロミック窓アセンブリ３１０は、第一部分３０１および第二部分３０２を含む。自動車のサイドライトとして使用する際に、第一部分３０１は、その窓アセンブリのうち、自動車のドアパネルの上にある部分に相当し、窓を閉じているときに見えるのに対して、第二部分３０２は、その窓アセンブリのうち、常に（窓を閉じたときを含めて）ドアパネルの下にとどまる部分に相当し、従って、見えない。エレクトロクロミック窓アセンブリ３１０は、先に述べた実施態様と同様に、間隔を開けて配置された第一基板３２０および第二基板３３０だけでなく、第一導電性被覆３２９、第二導電性被覆３３９およびエレクトロクロミック媒体３４０を含む。被覆３２９および３３９は、それぞれ、基板３２０および３３０の対向面に塗布され、これらの被覆の間には、エレクトロクロミック媒体３４０が位置付けられている。基板３２０および３３０は、スペーサ３４５により分離されている。
【００４０】
エレクトロクロミックアセンブリ３１０は、バスバー３６０ａ（これは、第一基板３２０の第一末端３２０ａに沿って、第一導電性被覆３２９の縁部に接続されている）およびバスバー３６０ｂ（これは、対向第二末端３２０ｃの近くの第一基板３２０の下部に沿って、第一導電性被覆３２９に接続されている）を含む。バスバー３６０ｂは、基板３２０の縁部３２０ｃに沿って位置付けることができるものの、図８および９で示した本発明の特定の実施態様では、バスバー３６０ｂは、後にさらに詳細に述べる理由のために、縁部３２０ｃに沿って位置付けられない。エレクトロクロミックアセンブリ３１０は、さらに、バスバー３８０ａおよび３８０ｂ（これらは、第二基板３３０の第一末端３３０ｂに沿って、第二導電性被覆３３９の第一縁部に接続されている）およびバスバー３８０ｃ、３８０ｄおよび３８０ｅ（これらは、第二基板３３０の対向第二末端３３０ｄに沿って、第二導電性被覆３３９の対向第二縁部に接続されている）を含む。必要ではないものの、非限定的な１実施態様では、バスバー３６０ａおよび３６０ｂは、アノードバスバーであるのに対して、バスバー３８０ａ、３８０ｂ、３８０ｃ、３８０ｄおよび３８０ｅは、カソードバスバーである。バスバー３６０ａ、３６０ｂ、３８０ａ、３８０ｂ、３８０ｃ、３８０ｄおよび３８０ｅを通って被覆３２９および３３９に電流を流すと、エレクトロクロミック媒体３４０を通って、電位が発生し、エレクトロクロミック媒体３４０は、均一な様式で、色を変える。
【００４１】
述べたように、エレクトロクロミック窓アセンブリ３１０は、非対称形状を含む。特に、それぞれ、基板３２０および３３０の第一末端３２０ｂおよび３３０ｂで形成された窓アセンブリ３１０の側面は、第二末端３２０ｄおよび３３０ｄで形成された窓アセンブリ３１０の対向側面より、長さが短い。そういうものとして、この特定の非限定的な実施態様では、このバスバー配列は、このような非対称形状を補償するために、調節される。例えば、そのカソードバスバー配列に関して、２個のバスバー３８０ａおよび３８０ｂは、末端３３０ｂに沿って、第二導電性被覆３３９と接触して、設けられるのに対して、３個のバスバー３８０ｃ、３８０ｄおよび３８０ｅは、対向末端３３０ｄに沿って、第二導電性被覆３３９と接触して、設けられる。さらに、これらのバスバーの長さは、適当な取付および形状だけでなく適当なレベルの電流を供給するように、調節できる。異なる数および異なる長さのバスバーを備えたこのような配列は、エレクトロクロミック窓アセンブリ３１０が非対称形状であることから、そのエレクトロクロミック（ｅｌｅｃｔｒｏｃｈｅｍｉｃａｌ）セルを横切る電流について、補償する。
【００４２】
それに加えて、これらのバスバーに流された電流は、その非対称形状を補償するために、調節できる。例えば、本発明を限定することなく、これらのバスバーに流れる電流の量を少なくするために、バスバー３８０ａおよび３８０ｂへの電流の流れには、抵抗器（図示せず）を組み込むことができる。そういうものとして、補償は、この非対称アセンブリに加えた電位に対して、行われる。代案として、後にさらに詳細に述べるように、各バスバーに送達された電流を制御するために、制御装置が使用できる。
【００４３】
図８および９を引き続いて参照すると、窓アセンブリ３１０の上縁（これは、第一末端３２０ａおよび３３０ａにより、形成される）は、均一であり、僅かに曲がっているにすぎないのに対して、窓アセンブリ３１０の対向縁部（これは、第二末端３２０ｃおよび３３０ｃにより、形成される）は、全く不均一であり、曲線部分および直線部分を有し、その結果、異なる部分で対向縁部間の距離が変わる非対称形状窓アセンブリが得られる。そういうものとして、この窓アセンブリのこの部分でのバスバーの配列は、困難である。このような非対称形状を補償するために、図８および９で示した本発明の特定の実施態様では、第一導電性被覆３２９と電気接触して、単一バスバー３６０ｂが設けられる。このような内部バスバー３６０ｂは、例えば、基板３２０に沿って、導電性接着剤を使って、第一導電性被覆３２９にバスバー３６０ｂを接着剤で接着することにより、設けることができる。バスバー３６０ｂの上には、絶縁体として作用するように、非導電層（図示せず）（例えば、接着テープがあるが、これに限定されない）が設置でき、バスバー３６０ｂが第二導電性被覆３３９と電気接触するのを防止する。このような接着テープは、さらに、スペーサとして作用でき、第一基板３２０と第二基板３３０との間で、適当な間隔を維持する。内部バスバー３６０Ｂは、他のバスバーについて先に述べた材料と同じ材料から作製できる。
【００４４】
結果として、本発明の非限定的な１実施態様では、このエレクトロクロミックアセンブリは、そのアセンブリの縁部から間隔を開けて配置されかつアセンブリ内に位置している少なくとも１個のバスバーを含む。
【００４５】
必要ではないものの、図８および９で示す本発明の特定の実施態様では、内部バスバー３６０ｂの一部３６１ｂは、図８および９で示すように、例えば、縁部３２０ｃに対して垂直に、窓３１０の縁部に向かって伸長して、バスバー３６０ｂを電源に電気接続するための導電性ワイヤとの外部接触が得られる。この内部バスバー配置は、窓アセンブリ３００の一部３０２内に含まれるので、部分３０２が自動車のドアパネル内で維持されているとき、それらの部品のいずれも見えない。代案として、バスバー３６０ｂの少なくとも一部は、アセンブリ３００のセクション３０１内に位置付けることができる。
【００４６】
図８〜９で示す自動車用サイドライトに関して、代替実施態様では、そのバスバー接点は、この窓アセンブリの外側上部および側縁部に設けることができ、別の接点は、電源との接触を確立するために、その自動車のフレーム内に設けられることが注目される。この配置は、自動車窓用の適当なアセンブリを提供し、これは、このような配置において、これらの接点を隠す外部カバーが存在しないので、この自動車窓は、ドアのフレーム内に覆われない。このような配置は、その窓を閉じると電源と接触可能となるので、また、この窓を開けるとき、窓を遮光する必要がないので、この窓アセンブリを暗くすることに対して、有害ではない。
【００４７】
このエレクトロクロミック窓アセンブリに流す電流の量は、使用する特定のアセンブリおよび特定のエレクトロクロミック媒体に基づいて、選択できる。本発明の非限定的な１実施態様では、流す電流の量は、０．４ボルト〜１．２ボルトの範囲、例えば、０．５ボルト〜１．０ボルトの範囲である。
【００４８】
このエレクトロクロミック窓アセンブリの使用は、今ここで、本発明の代表的なものとして、図８〜９を特に参照して、記述する。上記エレクトロクロミック窓アセンブリは、そこに電位を加えないとき、ほぼ透明のアセンブリである。そういうものとして、エレクトロクロミック窓アセンブリ３１０は、明るくした状態であり、完全な光透過率が可能である。この窓アセンブリを暗くするのが望ましいとき、このエレクトロクロミック窓アセンブリは、例えば、ユーザーが起動可能なスイッチにより、起動される。このスイッチを起動すると、その電源は、任意の便利な様式で（例えば、そこに装着されたワイヤリード線を通って）、第一および第二導電性被覆３２９および３３９へと、バスバー３６０および３８０に電流が供給される。このような電流により、このエレクトロクロミック媒体に電位が加わり、これは、順に、少なくとも１種のアノードエレクトロクロミック化合物が酸化され、そして、少なくとも１種のカソードエレクトロクロミック（ｅｌｅｃｔｒｏｃｈｅｍｉｃａｌ）化合物が還元される。この反応により、このエレクトロクロミック媒体の色が変わり、そのエレクトロクロミック媒体が光を吸収して暗くなり始める。被覆３２９と３３９との間の電位は、上で述べたように、このバスバー配列を通って加えられるので、このエレクトロクロミック媒体の着色は、虹彩効果も漸次の色変化なく、このエレクトロクロミック窓アセンブリ全体にわたって、急速かつ均一である。
【００４９】
アセンブリ３１０を停止すると、バスバー３６０および３８０への出力の供給が中断する。そういうものとして、エレクトロクロミック媒体３４０に加えられた電位は、取り除かれる、このような停止は、上で述べたアセンブリ３１０を起動する同じスイッチ配列を使用して、行うことができる。以前に述べたように、自己消去性エレクトロクロミック媒体の場合、窓アセンブリ３１０は、その初期状態に戻る。非自己消去性エレクトロクロミック媒体の場合、その色は、この媒体を通る電位が逆になるまで、残る。
【００５０】
本発明のさらに他の実施態様では、このエレクトロクロミック窓アセンブリの一部だけが着色でき、部分遮光窓を確立する。このような部分遮光は、選択した数のアノードバスバーおよびカソードバスバーに電流を選択的に流すことにより達成でき、それにより、このエレクトロクロミック窓アセンブリの一部だけを通る電位が作り出される。例えば、このような窓アセンブリ３１０が自動車のサイドライトの形状であるとき、例えば、サイドミラーをより見やすくするために、そのサイドライトの中間部および下部を明るい状態で維持して、そこを通る光の透過率を高いレベルに維持しつつ、このサイドライトの暗くしたまたは遮光した上部領域を作り出して、そこを通って透過する日光のレベルを少なくすることが望まれ得る。図８および９で示した本発明の特定の実施態様では、このような優先的な領域遮光は、例えば、後にさらに詳細に述べるように、アノードバスバー３６０ａならびにカソードバスバー３８０ａおよび３８０ｃだけに電流を通すことにより、達成できる。このように選択的に電流を流すことにより、エレクトロクロミック窓アセンブリ３１０の選択部分のみで、この特定の実施態様では、アセンブリ３１０の上部に沿って、電位が確立される。そういうものとして、これらの領域間にある、電流を流したエレクトロクロミック媒体の一部だけが色が変わり、結果として、部分遮光アセンブリが得られ、すなわち、（これらのバスバーに選択的に出力を加えることで）、これらの被覆のエネルギーを加えた部分間にあるエレクトロクロミック媒体の一部を通る視感透過率は、それらの被覆のエネルギーを加えた部分の間にはないエレクトロクロミック媒体の部分と比較して、変わる。
【００５１】
このようにして選択数の設備に電流を長期間加えると、そのエレクトロクロミック媒体の「浸出」が起こり得、ここで、このエレクトロクロミック窓アセンブリのうち、電流が流されない領域にあるエレクトロクロミック媒体は、徐々に、暗い状態に着色し始めることが注目される。これは、その電流が導電層の一部にだけ流されたとしても、この導電層全体を通って流れる電流が原因であると考えられ、それゆえ、その電位が加えられるエレクトロクロミック媒体の流域が拡大する。浸出の量は、この導電性被覆のシート比抵抗に基づいている。例えば、シート抵抗がより高い導電性被覆を組み込むと、この浸出効果がある程度低くなる。しかしながら、シート抵抗が高いなら、その装置の色を切り替えるのに、より多くの出力を消費し、この装置を完全に着色し切り替えるには、より長い時間がかかる。
【００５２】
特に、シート抵抗が低い導電性被覆を使って、この浸出効果を避けるために、遮光領域を作り出すために電流を加えるようには選択されていない設備にて、この電流を接地または短絡することが可能である。例えば、上で述べたように、図８および９では、この部分遮光窓アセンブリは、アノードバスバー３６０ａとカソードバスバー３８０ａおよび３８０ｃとに電流を選択的に流すことにより、達成できる。残りのバスバー（すなわち、アノードバスバー３６０ｂおよびカソードバスバー３８０ｂ、３８０ｄおよび３８０ｅ）にて、この電流を接地または短絡することにより、エレクトロクロミック窓アセンブリ３１０の下部領域には、電位が加わらない。それゆえ、エレクトロクロミック媒体３４０の色は、アセンブリ３１０の下部では、一般に、明るい状態で維持され、電位を加えたことが原因で着色した上部からの色の浸出効果が維持される。
【００５３】
さらに、このエレクトロクロミック窓アセンブリは、その表面を横切る勾配遮光を含むことができ、その結果、そのエレクトロクロミック窓アセンブリは、明るい状態から、順次暗くなった遮光領域を経て、暗くなった状態まで、徐々に変化する。これは、そのエレクトロクロミック媒体を暗くする程度を変えるために、異なる設備に対して加える電圧を変えることにより、優先的遮光領域に関して上で記述した様式と類似の様式で、達成できる。例えば、図８および９をさらに参照すると、本発明の非限定的な１実施態様にて、徐々に変化する遮光効果を達成するために、バスバー３６０ａ、３８０ａおよび３８０ｃには、０．７ボルトの電圧を加えることができ、そして、バスバー３８０ｂおよび３８０ｄには、それより低い０．４ボルトの電圧を加えることができる。必要ではないものの、その電流は、さらに、バスバー３６０ｂおよび３８０ｅで接地または短絡できる。そういうものとして、エレクトロクロミック窓アセンブリ３１０は、その上部における暗い状態から、その中間部での僅かに暗い状態を経て、その下部での明るい状態へと、徐々に遮光できる。
【００５４】
本発明の他の非限定的な実施態様では、そのエレクトロクロミック窓アセンブリを横切って勾配を付けた遮光を達成することが可能であり、その結果、このエレクトロクロミック窓アセンブリの一部は、完全に着色されるのに対して、そのエレクトロクロミック窓アセンブリの別の部分は、部分的に着色されるにすぎない。例えば、本発明を限定することなく、バスバー３６０ａ、３８０ａおよび３８０ｃには、０．７ボルトの電圧を加えることができるのに対して、バスバー３６０ｂ、３８０ｂ、３８０ｄおよび３８０ｅには、０．４ボルトの電圧が加えられる。そういうものとして、エレクトロクロミック窓アセンブリ３１０は、その上部での完全に遮光した状態から、その下部での僅かに遮光した状態を経た徐々に変化する遮光を含む。
【００５５】
このエレクトロクロミック窓アセンブリのこのような優先的な遮光および／または徐々に変化する勾配遮光は、自動車のサイドライトに関して、図８および９の形状を特に参照して述べられていることが注目され、このような遮光または勾配遮光は、任意のエレクトロクロミック窓アセンブリを使って達成できると考えられ、これには、上述の特定のアセンブリがあるが、これに限定されない。例えば、非限定的な特定の１実施態様では、このエレクトロクロミック窓アセンブリは、自動車のフロントガラスであり、そのアセンブリのうち、選択的に着色される部分は、フロントガラスの上縁部であり、これは、典型的には、その遮光バンドに相当する。図６および７を参照すると、これは、例えば、バスバー２６０ｃ、２６０ｄ、２８０ｂ、２８０ｄおよび２８０ｆを短絡させつつ、バスバー２６０ａ、２６０ｂ、２８０ａ、２８０ｃおよび２８０ｅに電流を流すことにより、達成できる。これにより、エレクトロクロミック窓アセンブリ２００の上部は、暗くなり、その下部は、明るい状態のままとどまる。
【００５６】
さらに他の実施態様では、このエレクトロクロミック窓アセンブリは、自動車のサンルーフであり得、そのアセンブリの一面が選択的に着色される。図６および７を参照すると、これは、例えば、バスバー２６０ｂ、２６０ｄ、２８０ａ、２８０ｂ、２８０ｅおよび２８０ｆを短絡しつつ、バスバー２６０ａ、２６０ｃ、２８０ｃおよび２８０ｄに電流を流すことにより達成でき、エレクトロクロミック窓アセンブリ２００の一方の側面部は、暗くなり、他の側面部は、明るい状態のままとどまる。
【００５７】
図１で示し上で詳細に述べたように、窓アセンブリ１０の周縁部１１に位置付けられた複数のアノードバスバーおよびカソードバスバーのために、この実施態様はまた、アセンブリ１０の１個またはそれ以上の選択した部分を暗くするかおよび／またはアセンブリ１０の１個またはそれ以上の選択した部分で勾配遮光を生じる様式で、操作できることが分かる。
【００５８】
本明細書中で開示した種類のエレクトロクロミック窓アセンブリが暗くなるパターンを制御するために、これらの導電性被覆の出力分布を制御するのに、制御装置が使用できる。例えば、図１０を参照して、制御装置３９０は、ＤＣ電源３９１により、アセンブリ３１０内の各バスバーに供給された電力を制御するのに、使用できる。さらに特定すると、制御装置３９０は、特定のバスバーにエネルギーが加えられるか（すなわち、そのバスバーに電流が送達されるか）、エネルギーが加えられていないか、または短絡されるかを制御できる。それに加えて、制御装置３９０は、特定のバスバーにどの程度の電流を送達するかを制御できる。これらの被覆にどこでどの程度の電流を供給すべきかを制御することにより、制御装置３９０は、このエレクトロクロミック媒体の選択部分だけを通る電位を確立でき、その結果、その選択部分を通る視感透過率は、その他の部分を通る視感透過率とは異なる。結果として、制御装置３９０は、このアセンブリの視感透過率に所望の変化（例えば、そのアセンブリの選択部分を暗くすること、または以前に述べたように、勾配遮光を提供することがあるが、これらの限定されない）を生じるために、使用できる。制御装置３９０はまた、必要に応じて、そのアセンブリの非対照的な特徴（例えば、形状、バスバーの長さ、被覆厚など）を考慮して、その電流を制御できる。
【００５９】
本発明の特徴および利点は、以下の実施例によって、さらに記述され理解され、これらは、本発明の範囲を限定するとは解釈されない。
【実施例】
【００６０】
自動車の横窓またはサイドライトの形状のエレクトロクロミック窓アセンブリ４１０を、以下のようにして、作成した。図１１の形状を有する第一ガラス基板４２０（全体的な大きさは、幅２３インチ（５８．４２ｃｍ）および長さ２１インチ（５３．３４ｃｍ）であり、約８０ミル（２．０３ｍｍ）の厚さを有する）を提供した。この第一基板４２０の一面に、マグネティックスパッタ蒸着（ＭＳＶＤ）技術（これは、導電層を設ける分野で周知である）を使用して、ＩＴＯの被覆４２９を被覆した。導電性被覆４２９の抵抗は、２Ω／平方であり、その導電性被覆を、２５，０００Åの厚さまで被覆した。第一ガラス基板４２０と類似した第二ガラス基板４３０に、類似の様式で、導電性被覆４３９を設けたが、導電性被覆４３９は、第一ガラス基板４２０の被覆面に面する第二基板４３０の表面に塗布した。
【００６１】
第一導電性被覆４２９の対向縁部に、アノード性バスバーを設けた。さらに特定すると、３ミル厚の銅箔ストリップ（これらは、導電性接着剤により、第一導電性被覆４２９に固定した）を使用して、第一基板４２０の上縁を横切って、第一対のアノード性バスバー４６０ａおよび４６０ｂを設けた。アセンブリ４１０内に、各ストリップの一部を積層し、各ストリップの残りを、第一基板４２０の縁部の周りに巻き付けた。バスバー４６０ａおよび４６０ｂの長さは、それぞれ、１０．５インチおよび１０．２５インチ（２６．６７ｃｍおよび２６．０４ｃｍ）であり、０．５インチ（１．２７ｃｍ）だけ分離されていた。第三アノード性バスバー４６０ｃは、３ミル厚の銅の別のストリップにより設けたが、これは、第一導電性被覆４２９に、直接、第一基板４２０の下部を横切って接着し、銅の別のストリップ４６１ｃもまた、バスバー４６０ｃと垂直にそれと接触して、第一導電性被覆に直接接着し、これは、窓アセンブリ４１０の縁部に伸長している。バスバー４６０ｃおよびストリップ４６１ｃの上には、絶縁体として、接着テープを設けた。バスバー４６０ｃの長さは、２０．５インチ（５２．０７ｃｍ）であった。
【００６２】
第二導電性被覆４３９と接触して、第二基板４３０の対向縁部には、４個のカソード性バスバーを設けた。さらに特定すると、第二導電性被覆４３９の第一縁部と接触して、２個の別々の銅ストリップ（これらは、互いから０．５インチ（１．２７ｃｍ）の間隔を開けて配置されている）の形状で、第二基板４３０の１側縁部を横切って、カソード性バスバー４８０ａおよび４８０ｂを設け、また、第二導電性被覆４３９の対向縁部と接触して、２個の別々の追加銅ストリップ（これらは、互いから０．５インチ（１．２７ｃｍ）の間隔を開けて配置されている）の形状で、第二基板４３０の対向１側縁部を横切って、カソード性バスバー４８０ｃおよび４８０ｄを設けた。これらのバスバーの各々は、３ミル厚の銅箔から作製し、そして導電性接着剤により、各個の導電性被覆に固定した。各ストリップの一部を、アセンブリ４１０内に積層し、各ストリップの残りを、第二基板４３０の縁部の周りに巻き付けた。バスバー４８０ａ、４８０ｂ、４８０ｃおよび４８０ｄは、それぞれ、長さ４．２５インチ、７．２５インチ、４．２５インチおよび１１．７５インチ（１０．８０ｃｍ、１８．４２ｃｍ、１０．８０ｃｍおよび２９．８５ｃｍ）であった。
【００６３】
２枚のガラス基板４２０および４３０を、約２４ミル（０．６１ｍｍ）の間隔を開けて配置し、導電性被覆４２９および４３９を、互いに向かい合わせた。これらの２枚の基板間で、このアセンブリの周辺には、スペーサとして作用するために、重合体樹脂を塗布した。これらの２枚の基板間に、そこに電位を加えると着色し得るエレクトロクロミック媒体４４０（これは、ビオロゲン染料およびフェナジン染料を含有する）を注入した。非荷電状態（すなわち、電流を流さない）で、エレクトロクロミック窓アセンブリ４１０を通る視感透過率（ＬＴＡ）は、約５４％であった。
【００６４】
これらのアノード性およびカソード性バスバーを、ワイヤリード線を通って、ＤＣ電源に接続した。以下で示すように、異なるセットのバスバーに対して、種々のレベルの電流を流した。バスバー４８０ａおよび４８０ｂに沿ったアセンブリ４１０の縁部は、そのアセンブリの対向縁部よりも短いので、バスバー４８０ａおよび４８０ｂの線に沿って、０．５Ω抵抗器を挿入して、その電流を変え、ほぼ均一な出力密度を得た。
【００６５】
【表１】
2004537755.tif 000001
実施例１では、これらのアノード性およびカソード性バスバーの全てに（従って、エレクトロクロミック窓アセンブリ４１０全体に）、そのアセンブリ全体にわたって電位を均等に送達して、０．７０ボルトで、電流を流した。５分後、このエレクトロクロミック窓アセンブリは、０．０９２アンペアで、定常状態に達し、ここで、その酸化／還元反応の全ては、このエレクトロクロミック媒体内にて、そのアノード性染料とカソード性染料との間で、起こった。表Ｉで分かるように、このエレクトロクロミック窓アセンブリ全体は、優れた着色に達し、その窓アセンブリの上部は、＜１％のＬＴＡを有し、このアセンブリの下部は、約２％のＬＴＡを有していた。それゆえ、この窓アセンブリの着色または暗化は、迅速かつ均一であった。
【００６６】
実施例２では、窓アセンブリ４１０の上部に配列したアノード性およびカソード性バスバー（具体的には、アノード性バスバー４６０ａおよび４６０ｂ、およびカソード性バスバー４８０ａおよび４８０ｃ）にのみ、０．７０ボルトで、電流を流した。５分後、このエレクトロクロミック窓アセンブリは、０．０６５アンペアで、定常状態に達し、ここで、その酸化／還元反応の全ては、このエレクトロクロミック媒体内にて、そのアノード性染料とカソード性染料との間で、起こった。表Ｉで分かるように、このエレクトロクロミック窓アセンブリの上部は、優れた着色に達し、＜１％のＬＴＡを有していた。このアセンブリの下部は、約６〜７％のＬＴＡを有していた。それゆえ、この窓アセンブリの着色または暗化は、不均一であり、その上部から下部を見ると、勾配があった。
【００６７】
実施例３では、窓アセンブリ４１０の上部に配列したアノード性およびカソード性バスバー（具体的には、アノード性バスバー４６０ａおよび４６０ｂ、およびカソード性バスバー４８０ａおよび４８０ｃ）にのみ、０．７０ボルトで、電流を流した。さらに、残りのアノード性およびカソード性バスバー、すなわち、アノード性バスバー４６０ｃおよびカソード性バスバー４８０ｂおよび４８０ｄは、短絡し、すなわち、エネルギーを加えたバスバーから、それらの導電性被覆を通って、これらのバスバーに達する電流は、取り除かれた。５分後、このエレクトロクロミック窓アセンブリは、０．１５４アンペアで、定常状態に達し、ここで、その酸化／還元反応の全ては、このエレクトロクロミック媒体内にて、そのアノード性染料とカソード性染料との間で、起こった。表Ｉで分かるように、このエレクトロクロミック窓アセンブリの上部は、部分着色に達し、１４％のＬＴＡを有していた。このアセンブリの下部は、約５４％のＬＴＡを有しており、これは、色変化なしに相当し、そのアセンブリの下部を通る完全な透過に相当していた。それゆえ、この窓アセンブリの上部を横切って、部分遮光バンドに達し、この遮光バンドを通って、少量の光が透過した。
【００６８】
実施例４では、実施例３と同様であるが０．８０ボルトで、窓アセンブリ４１０の上部に配列したアノード性およびカソード性バスバー（具体的には、アノード性バスバー４６０ａおよび４６０ｂ、およびカソード性バスバー４８０ａおよび４８０ｃ）にのみ、電流を流した。この場合もやはり、実施例３と同様に、残りのアノード性およびカソード性バスバー、すなわち、アノード性バスバー４６０ｃおよびカソード性バスバー４８０ｂおよび４８０ｄは、短絡した。５分後、このエレクトロクロミック窓アセンブリは、０．１８７アンペアで、定常状態に達し、ここで、その酸化／還元反応の全ては、このエレクトロクロミック媒体内にて、そのアノード性染料とカソード性染料との間で、起こった。表Ｉで分かるように、このエレクトロクロミック窓アセンブリの上部は、優れた着色に達し、約３％のＬＴＡを有していた。他方、このアセンブリの下部は、約５４％のＬＴＡを有しており、これは、色変化なしに相当し、そのアセンブリの下部を通る完全な透過に相当していた。それゆえ、この窓アセンブリの上部を横切って、完全な遮光バンドが得られた。
【００６９】
本発明の実施例としての実施態様を記述した。これらの実施例は、単に、本発明の例示にすぎないことが分かる。本発明の多くの変更および改良は、当業者に明らかであり、上記請求の範囲の範囲内に含まれると解釈される。
【図面の簡単な説明】
【００７０】
【図１】図１は、本発明の特徴を組み込んだエレクトロクロミック窓アセンブリの実施態様の透視図であり、明瞭にするために、その一部は、取り除いている。
【図２】図２は、図１で示したエレクトロクロミック窓アセンブリの前面図である。
【図３】図３は、図２の線３−３に沿って取り出したエレクトロクロミック窓アセンブリの断面図である。
【図４】図４は、本発明の特徴を組み込んだエレクトロクロミック窓アセンブリの代替実施態様の透視図であり、これは、例えば、航空機の客室窓に使用するために、卵形形状を有する。
【図５】図５は、図４で示したエレクトロクロミック窓アセンブリの前面図である。
【図６】図６は、本発明の特徴を組み込んだエレクトロクロミック窓アセンブリの透視図であり、これは、例えば、自動車のフロントガラス、自動車のサンルーフまたは建築用のグレイジングに有用である。
【図７】図７は、図６で示したエレクトロクロミック窓アセンブリの前面図である。
【図８】図８は、本発明の特徴を組み込んだエレクトロクロミック窓アセンブリの代替実施態様の透視図であり、これは、非対称形状を有し、例えば、自動車のサイドライトまたは航空機の操縦室の窓として、有用である。
【図９】図９は、図８で示したエレクトロクロミック窓アセンブリの前面図である。
【図１０】図１０は、本発明に関連して有用な電気回路の１実施態様を図示している。
【図１１】図１１は、試験に使用した図８で示したアセンブリと類似のエレクトロクロミック窓アセンブリの前面図である。